【事件の表示】
　特願２００６−５２６３３４「ウェイクオン無線システムのための方法及び装置」拒絶査定不服審判事件〔平成１７年１１月１７日国際公開、ＷＯ２００５／１０９８４２、平成１９年　３月１５日国内公表、特表２００７−５０６３０２〕について、次のとおり審決する。
【結　論】
　本件審判の請求は、成り立たない。
【理　由】
第１　手続の経緯
　本願は、２００４年９月１３日（パリ条約による優先権主張外国庁受理２００３年９月１５日、２００４年８月２３日、米国）を国際出願日とする出願であって、平成２２年２月４日付けで拒絶理由が通知され、同年４月２９日付けで手続補正されたが、同年６月２日付けで拒絶査定がなされ、これに対し、同年１０月６日に拒絶査定不服の審判が請求されたものである。
　
第２　本願発明
　特許請求の範囲の請求項３に係る発明（以下、「本願発明」という。）は、平成２２年４月２９日付けで手続補正された特許請求の範囲、明細書及び図面の記載からみて、その特許請求の範囲の請求項３に記載された以下のとおりのものと認める。
　
　「ホストと無線ネットワークとの間の通信インタフェースを提供するネットワークインタフェースカード（ＮＩＣ）を前記無線ネットワークを使用して無線で制御する方法であって、
　前記ＮＩＣが前記無線ネットワークからネットワークコマンド信号を受け取った後に、前記ＮＩＣが前記ホストにウェイクアップコマンドを発信するように構成する過程と、
　無線ネットワーク信号を受信する過程と、
　前記無線ネットワーク信号がウェイクアップコマンドであるか否かを決定し、
　　もし該ウェイクアップコマンドでないならば前記受信する過程に戻り、
　　もし該ウェイクアップコマンドであるならば前記ホストと別途代替電源の供給を受けている前記ＮＩＣとに主電源を供給できるようにする過程と、
　前記ネットワークコマンド信号を受信する過程と、
　前記ネットワークコマンド信号を処理する過程と
を有することを特徴とする方法。」
　
第３　引用発明
　原審の拒絶理由に引用された特開平１１−２６６２５４号公報（以下、「引用例」という。）には、図面とともに以下の事項が記載されている。
　
イ．「【０００１】
【発明の属する技術分野】この発明は、例えば、ディジタルオーディオ機器やディジタルビデオ機器の間でディジタルオーディオデータやディジタルビデオデータのような時間的に連続するデータストリームや、コマンドのように非同期のデータを無線で伝送するのに用いて好適な無線通信方法、無線通信システム、通信局、及び制御局に関する。」（３頁３欄）
　
ロ．「【００１７】
【発明の実施の形態】以下、この発明の実施の形態について図面を参照して説明する。この発明は、無線上で、ＩＥＥＥ１３９４のように、ビデオデータやオーディオデータのようなデータストリームの転送と、コマンドのような非同期のデータを転送とを行えるようにしたシステムを構築するものである。図１は、このような無線ネットワークシステムの概要を示すものである。
【００１８】図１において、ＷＮ１、ＷＮ２、ＷＮ３、…は、通信局とされるワイヤレスノードである。ワイヤレスノードＷＮ１、ＷＮ２、…には、夫々、ＣＤプレーヤ、ＭＤレコーダ／プレーヤ、ディジタルＶＴＲ、ディジタルカメラ、ＤＶＤプレーヤ、テレビジョン受像機等のディジタルオーディオ又はディジタルビデオ機器ＡＶ１、ＡＶ２、…を接続することが可能である。また、ワイヤレスノードＷＮ１、ＷＮ２、ＷＮ３、…に、パーソナルコンピュータを接続するようにしても良い。ワイヤレスノードＷＮ１、ＷＮ２、…と接続されるディジタルオーディオ又はディジタルビデオ機器ＡＶ１、ＡＶ２、…には、ＩＥＥＥ１３９４のディジタルインターフェースが備えられており、各ワイヤレスノードＷＮ１、ＷＮ２、…と、ディジタルオーディオ又はディジタルビデオ機器ＡＶ１、ＡＶ２、…との間は、例えば、ＩＥＥＥ１３９４のディジタルインターフェースで接続される。
【００１９】ＷＮＢは制御局とされるワイヤレスノードである。制御局とされたワイヤレスノードＷＮＢと通信局とされた各ワイヤレスノードＷＮ１、ＷＮ２、…間では、制御データがやり取りされ、通信局とされた各ワイヤレスノードＷＮ１、ＷＮ２、…の通信は、制御局とされたワイヤレスノードＷＮＢにより管理される。通信局とされた各ワイヤレスノードＷＮ１、ＷＮ２、…間では、ディジタルオーディオやディジタルビデオデータのような時間的に連続するデータストリーム（等時データ）或いはコマンドのような非同期のデータが無線でやり取りされる。」（４頁６欄〜５頁７欄）
　
ハ．「【００５６】次に、スリープ状態にあるワイヤレスノートＷＮ１、ＷＮ２、…を通常状態に起動させる場合の処理について説明する。図１０は、制御局とされたワイヤレスノードＷＮＢにより、スリープ状態にある通信局とされたワイヤレスノードを起動させる場合の処理を示すものであり、図１０Ａは通信局のワイヤレスノードＷＮ１、ＷＮ２、…側の処理を示す、図１０Ｂは制御局とされたワイヤレスノードＷＮＢ側の処理を示すものである。
【００５７】なお、前述したように、スリープ状態にある通信局側のワイヤレスノードはスリープモードに設定されているが、スリープモードでも、１フレームの先頭の制御領域ＭＡ中の少なくとも起動指令信号ＷＡＫＥ＿ＵＰの部分の信号は受信可能とされている。
【００５８】スリープ状態にある通信局側のワイヤレスノードは、１フレームの先頭の制御領域ＭＡを受信し（ステップＳ２０１）、起動指令信号ＷＡＫＥ＿ＵＰが受信されるか否かを判断している（ステップＳ２０２）。
【００５９】図１０Ｂに示すように、制御局とされたワイヤレスノードは、スリープ状態を解除させるワイヤレスノードに、起動指令信号ＷＡＫＥ＿ＵＰを送信する（ステップＳ２２２）。
【００６０】スリープ状態にある通信局のワイヤレスノードは、ステップＳ２０２で起動指令信号ＷＡＫＥ＿ＵＰを受信すると、通常状態に設定するための通信局状態変更要求信号ＳＴＡＴＵＳ＿ＲＥＱを制御局のワイヤレスノードに送信する（ステップＳ２０３）。
【００６１】制御局は、通信局状態変更要求信号ＳＴＡＴＵＳ＿ＲＥＱを受信する（ステップＳ２２２）。そして、それまでのその通信局の状態が通常状態（状態０１）であるか否かを判断し（ステップＳ２２３）、この通信局状態ＳＴＡＴＵＳが通常状態でなければ、通信局状態ＳＴＡＴＵＳを通常状態に設定する（ステップＳ２２４）。そして、この通信局のワイヤレスノードをポーリングリストに加えて（ステップＳ２２５）、処理を終了する。なお、ステップＳ２２３で、それまでのその通信局の状態が通常状態（状態０１）であると判断されたときには、状態を変更する必要はないので、そのまま、処理を終了する。
【００６２】スリープ状態にある通信局のワイヤレスノード側では、ステップＳ２０３で通常状態に設定するための通信局状態変更要求信号ＳＴＡＴＵＳ＿ＲＥＱを送信したら、通信局状態信号ＳＴＡＴＵＳを受信する（ステップＳ２０４）。
【００６３】通信局のワイヤレスノード側では、ステップ２０３で通常状態に設定するための通信局状態変更要求信号ＳＴＡＴＵＳ＿ＲＥＱを制御局のワイヤレスノードに送り、制御局のワイヤレスノードでは、ステップＳ２２４で、通信局状態ＳＴＡＴＵＳを通常状態に設定しているので、ステップＳ２０４で、通常状態（状態０１）の通信局状態信号ＳＴＡＴＵＳが受信される。
【００６４】ステップＳ２０４で、通信局状態信号ＳＴＡＴＵＳを受信したら、受信した通信局状態信号ＳＴＡＴＵＳが通常状態（状態０１）か否かを判断する（ステップＳ２０５）。受信した通信局状態信号ＳＴＡＴＵＳが通常状態なら、スリープ状態を解除して（ステップＳ２０６）、処理を終了する。なお、ステップＳ２０４で、受信した通信局状態信号ＳＴＡＴＵＳが通常状態でなければ、ステップＳ２０３にリターンして、再度処理を行う。
【００６５】このように、制御局とされワイヤレスノードＷＮＢからの制御により、スリープ状態とされているワイヤノードＷＮ１、ＷＮ２、…を通常状態に起動させる場合には、制御局とされワイヤレスノードＷＮＢからスリープ状態とされているワイヤノードＷＮ１、ＷＮ２、…に、起動指令信号ＷＡＫＥ＿ＵＰが送られる。スリープ状態とされているワイヤノードＷＮ１、ＷＮ２、…は、起動指令信号ＷＡＫＥ＿ＵＰを受信すると、通信局状態となるための通信局状態変更要求信号ＳＴＡＴＵＳ＿ＲＥＱを送り、これにより、スリープ状態から通常状態に起動される。」（８頁１３欄〜９頁１５欄）
　
　上記引用例の記載及び図面並びにこの分野における技術常識を考慮すると、上記摘記事項イ．、ロ．の【００１７】〜【００１９】の記載、及び図１によれば、無線ネットワークシステムは、ディジタルオーディオ又はディジタルビデオ機器（ＡＶ１、ＡＶ２、・・・）と、通信局とされたワイヤレスノード（ＷＮ１、ＷＮ２、ＷＮ３、・・・）と、制御局とされたワイヤレスノード（ＷＮＢ）とを備えている。ここで、上記摘記事項ロ．の【００１９】における「制御局とされたワイヤレスノードＷＮＢと通信局とされた各ワイヤレスノードＷＮ１、ＷＮ２、…間では、制御データがやり取りされ、・・・通信局とされた各ワイヤレスノードＷＮ１、ＷＮ２、…間では、ディジタルオーディオやディジタルビデオデータのような時間的に連続するデータストリーム（等時データ）或いはコマンドのような非同期のデータが無線でやり取りされる。」との記載によれば、ワイヤレスノード（ＷＮ１、ＷＮ２、ＷＮ３、・・・）は、無線ネットワークとの間の通信インタフェースを提供しているということができる。
　また、上記摘記事項ハ．の【００５８】の記載、及び図１０Ａによれば、｛Ａ｝ワイヤレスノード（ＷＮ１、ＷＮ２、ＷＮ３、・・・）は、図１０Ａにおけるステップ（Ｓ２０１）において、１フレームの先頭の制御領域（ＭＡ）を受信している。
　また、上記摘記事項ハ．の【００５８】の記載、及び図１０Ａによれば、｛Ｂ｝ワイヤレスノード（ＷＮ１、ＷＮ２、ＷＮ３、・・・）は、図１０Ａにおけるステップ（Ｓ２０２）において、１フレームの先頭の制御領域（ＭＡ）が起動指令信号（ＷＡＫＥ＿ＵＰ）であるか否か判断している。
　また、上記摘記事項ハ．の【００５８】の記載、及び図１０Ａによれば、｛Ｃ｝ワイヤレスノード（ＷＮ１、ＷＮ２、ＷＮ３、・・・）は、図１０Ａにおけるステップ（Ｓ２０２）において、「ＮＯ」の場合、もし起動指令信号（ＷＡＫＥ＿ＵＰ）でないならば受信するステップ（Ｓ２０１）に戻っている。
　また、上記摘記事項ハ．の【００５８】における「起動指令信号ＷＡＫＥ＿ＵＰが受信されるか否かを判断している（ステップＳ２０２）。」との記載、【００６４】における「・・・受信した通信局状態信号ＳＴＡＴＵＳが通常状態なら、スリープ状態を解除して（ステップＳ２０６）、処理を終了する。」との記載、【００６５】における「このように、制御局とされワイヤレスノードＷＮＢからの制御により、スリープ状態とされているワイヤノードＷＮ１、ＷＮ２、…を通常状態に起動させる場合には、・・・これにより、スリープ状態から通常状態に起動される。」との記載、及び図１０Ａによれば、｛Ｄ｝ワイヤレスノード（ＷＮ１、ＷＮ２、ＷＮ３、・・・）は、図１０Ａにおけるステップ（Ｓ２０２）において、「ＹＥＳ」の場合、すなわち、もし起動指令信号（ＷＡＫＥ＿ＵＰ）であるならばスリープ状態を解除し通常状態に起動していることが読み取れる。
　また、上記摘記事項ハ．の【００５６】における「図１０は、制御局とされたワイヤレスノードＷＮＢにより、スリープ状態にある通信局とされたワイヤレスノードを起動させる場合の処理を示すものであり」との記載によれば、上記｛Ａ｝乃至｛Ｄ｝は、ステップ毎に纏めると、ワイヤレスノード（ＷＮ１、ＷＮ２、ＷＮ３、・・・）を無線ネットワークを使用してスリープ状態にあるワイヤレスノード（ＷＮ１、ＷＮ２、ＷＮ３、・・・）を起動する、すなわち、無線で制御する方法ということができる。
　
　したがって、引用例には以下の発明（以下、「引用発明」という。）が記載されている。
　
　「無線ネットワークとの間の通信インタフェースを提供するワイヤレスノード（ＷＮ１、ＷＮ２、ＷＮ３、・・・）を前記無線ネットワークを使用して無線で制御する方法であって、
　１フレームの先頭の制御領域（ＭＡ）を受信するステップと、
　前記１フレームの先頭の制御領域（ＭＡ）が起動指令信号（ＷＡＫＥ＿ＵＰ）であるか否か判断し、
　もし該起動指令信号（ＷＡＫＥ＿ＵＰ）でないならば受信するステップに戻り、
　もし該起動指令信号（ＷＡＫＥ＿ＵＰ）であるならばスリープ状態を解除し通常状態に起動するステップと、
を有する方法。」
　
第４　対比
　本願発明と引用発明とを対比する。
ａ．引用発明の「ワイヤレスノード（ＷＮ１、ＷＮ２、ＷＮ３、・・・）」と、本願発明の「ネットワークインタフェースカード（ＮＩＣ）」とは、いずれも、「特定の無線通信装置」という点で一致する。
ｂ．引用発明の「１フレームの先頭の制御領域（ＭＡ）」は、本願発明の「無線ネットワーク信号」に含まれる。
ｃ．引用発明の「起動指令信号（ＷＡＫＥ＿ＵＰ）」及び「判断」は、本願発明の「ウェイクアップコマンド」及び「決定」にそれぞれ相当する。
ｄ．引用発明の「もし該起動指令信号（ＷＡＫＥ＿ＵＰ）であるならばスリープ状態を解除し通常状態に起動するステップ」と、本願発明の「もし該ウェイクアップコマンドであるならば前記ホストと別途代替電源の供給を受けている前記ＮＩＣとに主電源を供給できるようにする過程」とは、上記ｃ．の対比を考慮すれば、いずれも、「もし該ウェイクアップコマンドであるならば所定の処理をする過程」という点で一致する。
　
　したがって、本願発明と引用発明は、以下の点で一致ないし相違する。
　
＜一致点＞
　「無線ネットワークとの間の通信インタフェースを提供する特定の無線通信装置を前記無線ネットワークを使用して無線で制御する方法であって、
　無線ネットワーク信号を受信する過程と、
　前記無線ネットワーク信号がウェイクアップコマンドであるか否かを決定し、
　　もし該ウェイクアップコマンドでないならば前記受信する過程に戻り、
　　もし該ウェイクアップコマンドであるならば所定の処理をする過程と、
有する方法。」
　
＜相違点１＞
　「特定の無線通信装置」に関し、
　本願発明は、「ネットワークインタフェースカード（ＮＩＣ）」であるのに対し、引用発明は、「ワイヤレスノード（ＷＮ１、ＷＮ２、ＷＮ３、・・・）」である点。
　
＜相違点２＞
　「無線で制御する」対象に関し、
　本願発明は、「ホストと」ネットワークインタフェースカード（ＮＩＣ）であるのに対し、引用発明は、「ホスト」との特定がない点。
　
＜相違点３＞
　本願発明は、「前記ＮＩＣが前記無線ネットワークからネットワークコマンド信号を受け取った後に、前記ＮＩＣが前記ホストにウェイクアップコマンドを発信するように構成する過程」を有するのに対し、引用発明は、その様な構成を備えていない点。
　
＜相違点４＞
　「所定の処理をする」過程に関し、
　本願発明は、「前記ホストと別途代替電源の供給を受けている前記ＮＩＣとに主電源を供給できるようにする」ものであるのに対し、引用発明は、「スリープ状態を解除し通常状態に起動する」ものである点。
　
＜相違点５＞
　本願発明は、「前記ネットワークコマンド信号を受信する過程と、前記ネットワークコマンド信号を処理する過程と」を有するのに対し、引用発明は、その様な構成を備えていない点。
　
第５　判断
　そこで、まず、上記相違点１について検討する。
　無線ネットワークを使用して無線で制御する方法において、制御する対象として、ネットワークインタフェースカード（ＮＩＣ）を用いることは、例えば、特開２００３−１９９１７１号公報（段落３８、図２）に開示されるように周知であり、引用発明の「ワイヤレスノード（ＷＮ１、ＷＮ２、ＷＮ３、・・・）」に換えて、本願発明のように「ネットワークインタフェースカード（ＮＩＣ）」とすることは当業者が容易に成し得ることである。
　
　次に、上記相違点２について検討する。
　無線ネットワークを使用して無線で制御する方法において、制御する対象として、ホストを用いることは、例えば、特開２００４−１８０１１５号公報（段落１７、図１）、特開２００１−１０２９５５号公報（段落５８〜６０、図１、２）に開示されるように周知であり、引用発明に周知技術を適用して、本願発明のように「ホスト」とすることは当業者が容易に成し得ることである。
　
　次に、上記相違点３について検討する。
　無線ネットワークを使用して無線で制御する方法において、無線通信部が無線ネットワークからネットワークコマンド信号を受け取った後に、無線通信部がホストにウェイクアップコマンドを発信するように構成する過程を設けることは、例えば、特開２００４−１８０１１５号公報（段落１７、図１）、特開２００１−１０２９５５号公報（段落５８〜６０、図１、２）に開示されるように周知であり、引用発明に周知技術を適用して、本願発明のように「前記ＮＩＣが前記無線ネットワークからネットワークコマンド信号を受け取った後に、前記ＮＩＣが前記ホストにウェイクアップコマンドを発信するように構成する過程」を有することは当業者が容易に成し得ることである。
　
　次に、上記相違点４について検討する。
　無線ネットワークを使用して無線で制御する方法において、ホストと別途代替電源の供給を受けている無線通信部とに主電源を供給できるようにすることは、例えば、特開２００４−１８０１１５号公報（段落１７、１８、図１）、特開２００１−１０２９５５号公報（段落３１〜３４、４４、４５、図１）に開示されるように周知であり、引用発明に周知技術を適用して、本願発明のように「前記ホストと別途代替電源の供給を受けている前記ＮＩＣとに主電源を供給できるようにする」ことは当業者が容易に成し得ることである。
　
　次に、上記相違点５について検討する。
　無線ネットワークを使用して無線で制御する方法において、ネットワークコマンド信号を受信する過程と、前記ネットワークコマンド信号を処理する過程を設けることは、例えば、特開２００４−１８０１１５号公報（段落１７、図１）、特開２００１−１０２９５５号公報（段落５８〜６０、図１、２）に開示されるように周知であり、引用発明に周知技術を適用して、本願発明のように「前記ネットワークコマンド信号を受信する過程と、前記ネットワークコマンド信号を処理する過程と」を設けることは当業者が容易に成し得ることである。
　
　そして、本願発明の作用効果も、引用発明及び周知技術から当業者が容易に予測できる範囲のものである。
　
第６　むすび
　以上のとおり、本願発明は、引用発明及び周知技術に基いて当業者が容易に発明をすることができたものと認められるから、特許法第２９条第２項の規定により特許を受けることができない。
　
　よって、結論のとおり審決する。